(57)【要約】【課題】電子機器の受電用電源端子と電池の電池電源端子との接触部位の位置関係がずれることによる瞬断の発生を防止し、かつ、ゴミ等の異物の侵入を回避する。【解決手段】受電用電源端子１１１を備えた電子機器本体に装着される電池２の電源端子構造であって、受電用電源端子１１１との接触面（電池電源端子２１０）が、接触面と電気的に結合された可動式電源端子２２０（１対の電源端子片２２３、２２４）で覆われて成る。【選択図】図３
2008085756.tif 000002
【特許請求の範囲】
【請求項１】
受電用電源端子を備えた電子機器本体に装着される電池の電源端子構造であって、
前記受電用電源端子との接触面が、前記接触面と電気的に結合された可動式電源端子で覆われて成る
ことを特徴とする電池の電源端子構造。
【請求項２】
前記可動式電源端子は、
前記電池が未装着時に閉じ、前記電池が装着時に開く構造を有する
ことを特徴とする請求項１記載の電源端子構造。
【請求項３】
前記可動式電源端子は、
一端が軸支された１対の電源端子片から成り、前記電池の装着時、前記１対の電源端子片を中央近傍から両側に開くヒンジ機構を備える
ことを特徴とする請求項２記載の電源端子構造。
【請求項４】
前記可動式電源端子は、
前記電池の未装着時、付勢力により前記電源端子片を閉じる弾性体を備える
ことを特徴とる請求項２または３に記載の電源端子構造。
【請求項５】
前記可動式電源端子は、
前記電池の装着時、前記接触面を前記受電用電源端子で覆う密閉構造とする
ことを特徴とする請求項１記載の電源端子構造。
【請求項６】
受電用電源端子を備えた携帯端末装置本体と、
前記携帯端末装置本体に装着され、前記受電用電源端子との接触面が、前記接触面と電気的に結合された可動式電源端子で覆われた電池パックと、
を備えたことを特徴とする携帯端末装置。
【発明の詳細な説明】
【技術分野】
【０００１】
本発明は、電池の電源端子構造および携帯端末装置に関するものである。
【背景技術】
【０００２】
図１０および図１１は、従来例における電子機器の受電用電源端子構造を断面図で示したものである。
【０００３】
図１０に示されるように、従来、電子機器本体、例えば、携帯電話機等の携帯端末装置本体に電力を供給する電池２は、不図示の携帯端末装置本体に備え付けの受電用電源端子１１に、バネ１２等の弾力により電池２の電源端子２１を接触させることで通電を行なっている。
【０００４】
また、図１１に示されるように、落下等の衝撃により、電池２の電源端子２１と、携帯端末装置本体の受電用電源端子１１との接触が瞬間的に離れ、あるいは、接触部位の位置関係がずれる。
この場合、携帯端末装置本体の受電用電源端子１１が、電池２の電源端子２１にこびりついたゴミ等の異物（図中、○印）に乗り上げてしまうことがあり、結果的に瞬断が発生する恐れもある。
【０００５】
一方、受電用電源端子の接触片をＬ字に形成して受電用電源端子のケースに半収納し、電池パックの電源端子と接触片とを１点接触させることで、電池パックの着脱を繰り返しても接触片と電池パックの電池電源端子との接触が維持できる構造が知られている。
このような電池の電源端子構造によれば、電池を装着する際、電池電源端子が接触片を擦ることでゴミや汚れ等の付着を除去することができる（例えば、特許文献１参照）。
【特許文献１】特開平９−５５７８５号公報
【発明の開示】
【発明が解決しようとする課題】
【０００６】
しかしながら、上記した特許文献１に開示された技術によれば、ゴミや汚れの付着は除去できても、携帯端末装置を落下する等、不測の事態に衝撃が発生した場合に想定される接触片の振動、あるいは電池パック自体の離隔による瞬断に対応できるものではない。
すなわち、従来、電池パックの電池電源端子と接触片とを１点接触させているため、落下等の衝撃により瞬断が発生する可能性が高く、また、ゴミ等の異物に関しては付着を取り除くことはできても、ゴミ等の異物の侵入を回避するものではない。
【０００７】
本発明は上記した課題を解決するためになされたものであり、携帯端末装置等の電子機器の受電用電源端子と電池の電池電源端子との接触部位の位置関係がずれることによる瞬断の発生を防止し、かつ、ゴミ等の異物の侵入を回避した、電池の受電用電源端子構造および携帯端末装置を提供することを目的とする。
【課題を解決するための手段】
【０００８】
本発明の第１の観点に係る電池の電源端子構造は、受電用電源端子を備えた電子機器本体に装着される電池の電源端子構造であって、受電用電源端子との接触面が、接触面と電気的に結合された可動式電源端子で覆われて成るものである。
【０００９】
好適には、前記可動式電源端子は、前記電池が未装着時に閉じ、前記電池が装着時に開く構造を有する。
【００１０】
好適には、前記可動式電源端子は、一端が軸支された１対の電源端子片から成り、前記電池の装着時、前記１対の電源端子片を中央近傍から両側に開くヒンジ機構を備える。
【００１１】
好適には、前記可動式電源端子は、前記電池の未装着時、付勢力により前記電源端子片を閉じる弾性体を備える。
【００１２】
好適には、前記可動式電源端子は、前記電池の装着時、前記接触面を前記受電用電源端子で覆う密閉構造とする。
【００１３】
本発明の第２の観点に係る携帯端末装置は、受電用電源端子を備えた携帯端末装置本体と、携帯端末装置本体に装着され、受電用電源端子との接触面が、接触面と電気的に結合された可動式電源端子で覆われた電池パックと、を備えたものである。
【発明の効果】
【００１４】
本発明によれば、携帯端末装置等電子機器の受電用電源端子と電池パックの電池電源端子との接触部位の位置関係がずれることによる瞬断の発生を防止し、かつ、ゴミ等の異物の侵入を回避することができる。
【発明を実施するための最良の形態】
【００１５】
以下、本発明の実施形態を図面に関連付けて説明する。
【００１６】
図１（ａ）は、本発明の実施形態に係る電子機器としての携帯端末装置（携帯電話機）１００の開状態を背面側から見た外観の斜視図であり、図１（ｂ）は、携帯端末装置（携帯電話機）１００の背面側に収納される電池パックの外観を示す図である。
また、図２は、本実施形態に係る電池パックの電源端子部を示す図である。
【００１７】
図１（ａ），（ｂ）において、１００が携帯電話機を、２００が電池パックをそれぞれ示しており、図１（ａ），（ｂ）は図示しない電池ふたと電池パック２００を携帯電話機１００から外した状態を示している。
【００１８】
携帯端末装置１００は、いわゆる折り畳み式の携帯電話機として構成されており、開状態と閉状態との間で互いに回動可能に開閉機構部（連結部）１０１により連結された表示側筐体（受話筐体）１０２およびキー側筐体（送話筐体）１０３を備えている。
受話筐体１０２および送話筐体１０３は、それぞれの端部が回動の中心となる開閉機構部（連結部）１０１により連結されることにより携帯端末装置（携帯電話機）１００全体の筐体を構成するようになっている。
受話筐体１０２および送話筐体１０３は、それぞれ概ね薄型直方体に形成されており、閉状態では互いに重ね合わされ、一方の筐体側から他方の筐体側を見たときに互いの輪郭が略一致するようになっている。
【００１９】
開閉機構部（連結部）１０１は、受話筐体１０２の短手方向の両端に設けられており、第２の筐体としての受話筐体１０２と第１の筐体としての送話筐体１０３とを開状態と閉状態との間で互いに回動可能に連結している。
【００２０】
受話筐体１０２の図示しない正面側には、通話用のスピーカの放音孔が開口している。
受話筐体１０２には、図示しない正面側に画像や文字を表示するメイン表示部が形成され、背面側１０２ａに画像や文字を表示するサブ表示部１０４が形成されている。
メイン表示部およびサブ表示部１０４は、たとえば液晶表示装置や有機ＥＬ表示装置などの表示装置により構成されている。なお、サブ表示部１０４は、透光性のパネルにより被覆されて保護されている。
また、受話筐体１０２には、背面側を撮像方向とする撮像モジュール１０５が開閉機構部１０１の近傍内部に設けられている。
【００２１】
送話筐体１０３の図示しない正面側には通話用のマイクロフォンの集音孔が開口し、正面側に露出する各種キーを含む図示しない操作部が設けられている。各種キーは、たとえばテンキー、カーソルキー、ファンクションキー、決定キー等である。
【００２２】
送話筐体１０３の背面側１０３ａには、電池パック２００を着脱自在に収納可能な電池パック収納凹部１０６が形成されている。
電池パック収納凹部１０６は、たとえば薄型直方体状の電池パック２００を収納可能なような直方体状の凹部形状を有する。そして、電池パック収納凹部１０６の側壁のうち、開閉機構部１０１にもっとも近い側壁１０７に、電池パック２００の電源端子２１０から受電する受電用電源端子部１１０が設けられている。
受電用電源端子部１１０は、電池電源端子２１０を備えた電池パック２００の装着時、電池電源端子２１０の複数（本実施形態では３）の接触面、もしくは複数の接点に弾性接触して成るそれぞれ複数（本実施形態では３）の受電用電源端子１１１，１１２，１１３を備えている。
【００２３】
これに対応して、電池（パック）２００は、図２に示すように、電源端子２１１，２１２，２１３を有している。なお、端子２１３は制御端子として用いられる。
以下に、電池の電源端子の構造例について説明する。
【００２４】
図３および図４は、本発明の実施形態に係る電池の電源端子構造を説明するための図である。
図３は、電池（パック）装着前の断面形状を示し、図４は、電池装着時における電池の電源端子構造が断面形状を示している。
また、図５(ａ)，（ｂ）は、上方から見たときを示す図であって、図５（ａ）が電池装着前の状態を示す図であり、図５（ｂ）が電池装着時の状態を示す図である。
【００２５】
図３において、電池２００は、その一端縁部に密閉された空間を持つ。この空間に、電源端子としての他に、開閉蓋としての役割も併せ持つ可動式電源端子２２０が形成される。
可動式電源端子２２０は、通常に携帯端末装置等電子機器本体側に備え付けの受電用電源端子１１１（１１２，１１３）との接触面を持つ電池電源端子部２１０とは電気的に結合され、一端が、ヒンジ２２１、２２２により軸支された１対の電源端子片２２３、２２４から構成される。
【００２６】
このため、電池２００の未装着時、図３に示されるように、１対の電源端子片２２３、２２４により電池２００の電池電源端子２１０が密閉される。
一方、電池２００の装着時、図４に示されるように、先端が丸みを持つ突起状の受電用電源端子１１１を付勢するバネ弾性１１４により押し付けられる矢印方向の力が働き、このことにより、１対の電源端子片２２３、２２４が、観音開きに開く構造になっている。この状態において、受電用電源端子１１１に電池２００の電源端子部２１０（２１１〜２１３）を接触させることで通電を行なっている。
【００２７】
上記した電池の電源端子構造によれば、電池２００の装着時、電池２００の電池電源端子２１０である接触面は、受電用電源端子１１１と接触すると共に、電池電源端子２１０と電気的に結合された１対の電源端子片２２３、２２４から成る可動式電源端子２２０とも接触することがわかる。
具体的に、受電用電源端子１１１(１１２，１１３)は、電池電源端子２１０（接触面）とは直接接触する他、電源端子片２２３、２２４を介して間接的に接触する、３点接触を実現することができる。
【００２８】
したがって、携帯端末装置の落下等、不測の事態における衝撃発生時、一方の接触部位が瞬時に離れ、あるいは位置関係がずれたとしても、残る接触部位での接触により代替が可能であり、このため、瞬断発生の確率を低く抑えることができる。
また、可動式電源端子（１対の電源端子片２２３、２２４）は、電池２の装着の有無にかかわらず密閉構造を維持するため、電池２の電源端子２１０付近にゴミ等の異物が付着しにくくなり、したがって、ゴミ等異物の混入による瞬断発生を回避できる。
【００２９】
以上説明のように本発明の実施の形態によれば、受電用電源端子１１１(１１２，１１３)との接触面（電池電源端子２１０）を、当該接触面と電気的に結合された可動式電源端子（１対の電源端子片２２３、２２４）で覆うことにより、ゴミ等の異物の混入を回避でき、また、一端が軸支されたヒンジ機構２２１、２２２、あるいはバネ弾性を利用することで、可動式電源端子２２０を、電池２００が未装着時に閉じ、電池２００が装着時に開くように開閉制御することで３点接触を実現し、このことにより、携帯端末装置の落下等による不測の事態における衝撃発生時、受電用電源端子１１１と電池電源端子２１０との接触部位の位置関係がずれることによる瞬断の発生を防止することができるものである。
【００３０】
なお、可動式電源端子は図３〜図５に示すように、電源端子片が２枚である場合に限らず、さらに多くの電源端子片を設けるように構成することも可能である。
【００３１】
図６(ａ)，（ｂ）は、可動式電源端子の電源端子片を４枚構成とした場合を上方から見たときを示す図であって、図６（ａ）が電池装着前の状態を示す図であり、図６（ｂ）が電池装着時の状態を示す図である。
【００３２】
このように、４枚の電源端子片２２５−１〜２２５−４をヒンジ等で可動式とすることによっても携帯端末装置の落下等による不測の事態における衝撃発生時、受電用電源端子１１１と電池電源端子２１０との接触部位の位置関係がずれることによる瞬断の発生を防止することができる。
【００３３】
また、上記した可動式電源端子２２０（１対の電源端子片２２３、２２４）の開閉駆動は、軸支されたヒンジ２２１，２２２に代えて、線条バネ、板バネ、コイルバネ等、バネ弾性による付勢力を利用してもよく、またこれらを組み合わせてもよい。
【００３４】
図７（ａ），（ｂ）は、コイルバネ２２６，２２７等により２枚の電源端子片を付勢するように構成した可動式電源端子２２０Ａの構成例を示す図であって、図７（ａ）が電池装着前の状態を示す図であり、図７（ｂ）が電池装着時の状態を示す図である。
また、図８は図７（ａ）の断面形状を示す図であり、図９は図７（ｂ）の断面形状を示す図である。
【００３５】
この構成の場合、２枚の電源端子片２２３Ａ，２２４Ａは、図中の矢印方向にスライドする構造を有し、たとえば受電用電源端子１１１の先端部で矢印方向に押し開くことが容易となるように、電源端子片２２３Ａ，２２４Ａの当接領域はテーパ状に形成される。
このような構成の可動式とすることによっても携帯端末装置の落下等による不測の事態における衝撃発生時、受電用電源端子１１１（１１２，１１３）と電池電源端子２１０との接触部位の位置関係がずれることによる瞬断の発生を防止することができる。
【００３６】
さらにまた、上記した本発明の実施の形態によれば、電池２が携帯端末装置に装着される場合を例示したが、携帯端末装置に制限されるものでなく、電子機器全般に応用が可能である。
【図面の簡単な説明】
【００３７】
【図１】（ａ）は本発明の実施形態に係る電子機器としての携帯端末装置（携帯電話機）の開状態を背面側から見た外観の斜視図であり、（ｂ）は携帯端末装置（携帯電話機）の背面側に収納される電池パックの外観を示す図である。
【図２】本実施形態に係る電池パックの電源端子部を示す図である。
【図３】本発明の実施形態に係る電池の受電用電源端子構造を説明するための図（断面図）である。
【図４】本発明の実施形態に係る電池の受電用電源端子構造を説明するための図（断面図）である。
【図５】本発明の実施形態に係る電池の受電用電源端子構造を上方から見たときを示す図であって、（ａ）が電池装着前の状態を示す図であり、（ｂ）が電池装着時の状態を示す図である。
【図６】可動式電源端子の電源端子片を４枚構成とした場合を上方から見たときを示す図であって、（ａ）が電池装着前の状態を示す図であり、（ｂ）が電池装着時の状態を示す図である。
【図７】コイルバネ等により２枚の電源端子片を付勢するように構成した可動式電源端子の構成例を示す図であって、（ａ）が電池装着前の状態を示す図であり、（ｂ）が電池装着時の状態を示す図である。
【図８】図７（ａ）の断面形状を示す図である。
【図９】図７（ｂ）の断面形状を示す図である。
【図１０】従来例における電池の受電用電源端子構造を説明するための図である。
【図１１】従来例における電池の受電用電源端子構造を説明するための図である。
【符号の説明】
【００３８】
１００・・・携帯端末装置（携帯電話機）、１０１・・・開閉機構部（連結部）、１０２・・・表示側筐体（受話筐体）、１０３・・・キー側筐体（送話筐体）、１１０・・・受電用電源端子部、１１１〜１１３・・・受電用電源端子、１１４・・・バネ弾性、２００・・・電池（パック）、２２０，２２０Ａ・・・可動式電源端子、２１０・・・電池電源端子、２２１、２２２…ヒンジ機構、２２３，２２４，２２３Ａ，２２４Ａ・・・１対の電源端子片。
【図１】
2008085756.tif 000003
【図２】
2008085756.tif 000004
【図３】
2008085756.tif 000005
【図４】
2008085756.tif 000006
【図５】
2008085756.tif 000007
【図６】
2008085756.tif 000008
【図７】
2008085756.tif 000009
【図８】
2008085756.tif 000010
【図９】
2008085756.tif 000011
【図１０】
2008085756.tif 000012
【図１１】
2008085756.tif 000013